(57)【特許請求の範囲】
【請求項１】
少なくとも１つのレンズユニット操作部を有し、電動により光学像の倍率を変更可能なレンズユニットと、
前記レンズユニットを着脱可能に保持するマウントと、
少なくとも１つのカメラ本体操作部を有するカメラ本体と、
前記レンズユニットが前記マウントに装着された状態において、前記レンズユニットを制御する制御部と、
を備え、
前記制御部は、
前記カメラ本体操作部の操作に応じて光学像の倍率を変更するように前記レンズユニットを制御するとき、前記レンズユニット操作部の操作に応じて光学像の倍率変更とは異なる動作を実行するように前記レンズユニットを制御し、
前記レンズユニット操作部の操作に応じて光学像の倍率を変更するように前記レンズユニットを制御するときは、前記カメラ本体操作部の操作に応じて光学像の倍率変更とは異なる動作を実行するように前記レンズユニットを制御し、
前記光学像の倍率変更とは異なる動作は、下記(A)から(S)のうち少なくとも一つの動作である、
カメラシステム。
(A)フォーカス
(B)再生画像の拡大縮小
(C)露出補正
(D)絞り動作
(E)ＩＳＯ感度変更
(F)ホワイトバランス変更
(G)シャッタースピード
(H)画像解像度変更
(I)画素数変更
(J)暗部補正レベル変更
(K)単写、連写、及びセルフタイマーのうち少なくとも一つを含むドライブモード変更
(L)ＡＦターゲット変更
(M)ＡＦモード変更
(N)ＡＥモード変更
(O)ＡＦＳ及びＡＦＣのうち少なくとも一つを含むＡＦドライブモード変更
(P)再生画像の送り戻し
(Q)シーンセレクトモードのシーン選択動作
(R)光学ズーム端から電子ズームを連続的に移動
(S)フィルムモードを含む絵作り各種フィルタ変更
【請求項２】
前記カメラ本体操作部は、
光学像の倍率を変更するズーム操作部である、
請求項１に記載のカメラシステム。
【請求項３】
前記レンズユニットは、電動により光学像のフォーカスをさらに調整可能であり、
前記レンズユニット操作部は、
光学像のフォーカスを調整するフォーカス操作部である、
請求項２に記載のカメラシステム。
【請求項４】
前記レンズユニット操作部は、
光学像の倍率を変更するズーム操作部である、
請求項１に記載のカメラシステム。
【請求項５】
前記レンズユニットは、電動により光学像のフォーカスをさらに調整可能であり、
前記カメラ本体操作部は、
光学像のフォーカスを調整するフォーカス操作部である、
請求項２に記載のカメラシステム。
【請求項６】
被写体を撮影するカメラシステムに用いられるカメラ本体であって、
前記被写体を撮像する撮像部と、
レンズユニットを着脱可能に保持するマウントと、
前記レンズユニットが前記マウントに装着された状態において、前記レンズユニットを制御する制御部と、
電動により、前記レンズユニットの光学像の倍率を変更可能であるズーム操作部と、
を備え、
前記制御部は、
前記ズーム操作部の操作に応じて光学像の倍率を変更するように前記レンズユニットを制御するとき、前記レンズユニット側の操作部の操作に応じて光学像の倍率変更とは異なる動作を実行するように前記レンズユニットを制御し、
前記レンズユニット側の操作部の操作に応じて光学像の倍率を変更するように前記レンズユニットを制御するときは、前記ズーム操作部の操作に応じて光学像の倍率変更とは異なる動作を実行するように前記レンズユニットを制御し、
前記光学像の倍率変更とは異なる動作は、下記(A)から(S)のうち少なくとも一つの動作である、
カメラ本体。
(A)フォーカス
(B)再生画像の拡大縮小
(C)露出補正
(D)絞り動作
(E)ＩＳＯ感度変更
(F)ホワイトバランス変更
(G)シャッタースピード
(H)画像解像度変更
(I)画素数変更
(J)暗部補正レベル変更
(K)単写、連写、及びセルフタイマーのうち少なくとも一つを含むドライブモード変更
(L)ＡＦターゲット変更
(M)ＡＦモード変更
(N)ＡＥモード変更
(O)ＡＦＳ及びＡＦＣのうち少なくとも一つを含むＡＦドライブモード変更
(P)再生画像の送り戻し
(Q)シーンセレクトモードのシーン選択動作
(R)光学ズーム端から電子ズームを連続的に移動
(S)フィルムモードを含む絵作り各種フィルタ変更
【発明の詳細な説明】
【技術分野】
【０００１】
本発明は、レンズ交換可能なレンズ交換式カメラシステム、カメラ本体およびレンズユニットに関するものである。
【背景技術】
【０００２】
近年、ＣＣＤ（Charge Coupled Device）イメージセンサーやＣＭＯＳ（Complementary Metal-oxide Semiconductor）イメージセンサーなどの撮像素子を用いて、被写体像を電気信号に変換し、この電気信号をデジタル化して記録するデジタルカメラが普及している。
レンズ交換可能なカメラ、例えばデジタル一眼レフカメラやデジタルレンジファインダカメラなどにおいては、撮像素子の高画素化による画素サイズの微小化や、パソコン画面上で強拡大する鑑賞形態などに対応するため、高精度な合焦精度を高速に達成すること、レンズの収差をカメラ側で補正し出力することが求められている。また、高解像な動画撮影も可能となり、高精度なレンズ制御も必須となってきている。
【０００３】
しかしながら、これまでの静止画撮影を目的としたズーム式交換レンズは、手動による回転式の光学ズーム変倍操作、もしくは手動による直進式の光学ズーム変倍操作となっているため、動画撮影中の滑らかな変倍操作や一定速度の変倍操作が、難しいという問題があった。従って、ズーム式交換レンズにおいて、電動による光学ズーム変倍操作の実現が、望まれている。
【先行技術文献】
【特許文献】
【０００４】
【特許文献１】国際公開２００９／０４１０６３号
【発明の概要】
【発明が解決しようとする課題】
【０００５】
引用文献１のカメラでは、交換レンズユニットが電動マニュアルフォーカスに対応している場合、カメラ本体の十字キーを操作することによって、電動マニュアルフォーカスを実行しようとすると、カメラ本体の十字キーに割り当てられた、電動マニュアルフォーカス以外の既存の撮影機能を、使用することができないという問題があった。
本発明は、かかる点に鑑みてなされたものであり、その目的とするところは、電動ズームまたは電動フォーカスを実行可能な交換レンズが、カメラ本体に装着された場合に、カメラ本体の機能を損なうことなく、電動ズームまたは電動フォーカスをカメラ本体側から操作することが可能なレンズ交換式撮像装置を、提供することにある。
【課題を解決するための手段】
【０００６】
本カメラシステムは、レンズユニットと、マウントと、カメラ本体と、制御部とを、備えている。レンズユニットは、少なくとも１つのレンズユニット操作部を有し、電動により光学像の倍率を変更可能である。マウントは、レンズユニットを着脱可能に保持する部分である。カメラ本体は、少なくとも１つのカメラ本体操作部を、有する。制御部は、レンズユニットがマウントに装着された状態において、レンズユニットを制御する。ここでは、制御部が、カメラ本体操作部の操作及びレンズユニット操作部の操作のいずれか一方の操作に応じて、電動により光学像の倍率を変更するようにレンズユニットを制御する。また、制御部は、カメラ本体操作部の操作及びレンズユニット操作部の操作のいずれか他方の操作に応じて、光学像の倍率変更とは異なる動作をするようにレンズユニットを制御する。
【０００７】
本カメラ本体は、被写体を撮影するカメラシステムに用いられる。本カメラ本体は、撮像部と、マウントと、制御部と、ズーム操作部とを、備えている。撮像部は、被写体を撮像する部分である。マウントは、レンズユニットを着脱可能に保持する部分である。制御部は、レンズユニットがマウントに装着された状態において、レンズユニットを制御する。ズーム操作部は、電動により、レンズユニットの光学像の倍率を変更可能である。
【０００８】
本レンズユニットは、被写体を撮影するカメラシステムに用いられる。本レンズユニットは、カメラ本体に着脱自在に装着される。カメラ本体は、被写体を撮像する撮像部と、撮像部の撮像動作を制御する本体制御部とを、有している。本レンズユニットは、複数のレンズユニット操作部を有している。本レンズユニットでは、複数のレンズユニット操作部によって、光学像の倍率が電動により変更可能である。
【発明の効果】
【０００９】
本発明によれば、電動ズームにより変倍可能な交換レンズが、カメラ本体に装着された場合に、カメラ本体側の操作部材で電動ズームをすることができる。また、交換レンズ側の操作部材によって、マニュアルフォーカスを実行可能であるので、快適な撮影を行わせることができる。さらに、カメラ本体が操作部材を持たず、且つこのカメラ本体に交換レンズが装着された場合には、交換レンズ側の操作部材によって電動ズームを実行することができる。
【図面の簡単な説明】
【００１０】
【図１】カメラシステム１の斜視図
【図２】カメラ本体１００の斜視図
【図３】カメラシステム１のブロック図
【図４】カメラ本体１００の背面図
【発明を実施するための形態】
【００１１】
本発明の実施形態に係るカメラシステムおよびカメラ本体について説明する。なお、以下の実施形態は本発明の一実施形態であり、本発明はこれらの実施形態に限定されない。
＜第１実施形態＞
（１：構成）
（１−１：カメラシステムの概要）
図１は、本発明の第１実施形態に係るカメラシステム１の斜視図である。カメラシステム１は、カメラ本体１００と、カメラ本体１００に着脱可能なレンズユニット２００とから、構成される。図２は、カメラ本体１００の斜視図である。図３は、カメラシステム１の機能ブロック図である。また、図４は、カメラ本体の背面図である。
【００１２】
以下、各部の詳細について説明する。説明の便宜のため、カメラシステム１の被写体側を前、撮像面側を後ろ又は背、カメラシステム１の通常姿勢における鉛直上側を上、鉛直下側を下と記述する場合がある。
（１−２：カメラ本体の構成）
カメラ本体１００は、主に、ＣＭＯＳイメージセンサー１１０と、ＣＭＯＳ回路基板１１３と、カメラモニタ１２０と、第１操作部１３０と、カメラコントローラー１４０を含むメイン回路基板１４２と、ボディマウント４１と、電源１６０と、カードスロット１７０と、電子ビューファインダー１８０と、シャッターユニット１９０と、光学フィルタ１１４と、振動板１１５とを備える。なお、カメラ本体１００は、ミラーボックス装置を有していない。
【００１３】
また、カメラ本体１００には、前から順に、ボディマウント４１、シャッターユニット１９０、振動板１１５、光学フィルタ１１４、ＣＭＯＳイメージセンサー１１０、ＣＭＯＳ回路基板１１３、メイン回路基板１４２、カメラモニタ１２０が配置されている。例えば、光学フィルタ１１４、ＣＭＯＳイメージセンサー１１０、及びＣＭＯＳ回路基板１１３によって、撮像部が構成されている。
【００１４】
ＣＭＯＳイメージセンサー１１０は、レンズユニット２００を介して入射される被写体の光学像を撮像して、画像データを生成する。ＣＭＯＳイメージセンサー１１０は、光電変換層と、カラーフィルター層とを有する。光電変換層には、光電変換により電荷を蓄積可能な複数の画素が、配列されている。カラーフィルター層には、青色光のみを透過する青のカラーフィルターと、緑色光のみを透過する緑のカラーフィルターと、赤色光のみを透過する赤のカラーフィルターとが、前記画素の前面に前記画素に１対１に対応して配列されている。ＣＭＯＳイメージセンサー１１０は、青色のカラーフィルターが配置された画素からの信号、緑色のカラーフィルターが配置された画素からの信号、赤色のカラーフィルターが配置された画素からの信号を、それぞれ増幅する。ＣＭＯＳイメージセンサー１１０は、これらの信号に基づいて画像データを生成する。
【００１５】
生成された画像データは、ＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１６】
ＣＭＯＳイメージセンサー１１０は、タイミング発生器１１２で制御されるタイミングで動作する。ＣＭＯＳイメージセンサー１１０では、静止画像の撮像動作、及び、動画像の撮像動作等が行われる。動画像の撮影動作には、スルー画像の撮影動作が含まれる。ここで、スルー画像とは、動画像の撮像後、メモリーカード１７１にデータを記録しない画像である。スルー画像は、主に動画像である。スルー画像は、動画像または静止画像の撮影のための構図を決めるために、カメラモニタ１２０および／または電子ビューファインダー１８０（以下、ＥＶＦとも言う）に表示される。また、動画像の撮影動作には、動画像の記録動作も含まれる。動画像の記録動作とは、動画像の撮影動作、およびメモリーカード１７１に動画データを記録する動作を含む動作である。
【００１７】
なお、ＣＭＯＳイメージセンサー１１０は被写体の光学像を撮像して電気的な画像信号に変換する撮像素子の一例である。撮像素子は、ＣＣＤイメージセンサー等を含む概念である。
ＣＭＯＳ回路基板１１３は、ＣＭＯＳイメージセンサー１１０を駆動制御する回路基板である。また、ＣＭＯＳ回路基板１１３は、ＣＭＯＳイメージセンサー１１０からの画像データに所定の処理を施す回路基板である。ＣＭＯＳ回路基板１１３は、タイミング発生器１１２を含む。また、ＣＭＯＳ回路基板１１３は、ＡＤコンバーター１１１を含む。ＣＭＯＳ回路基板１１３は、撮像素子を駆動制御する撮像素子回路基板、および／または撮像素子からの画像データにＡＤ変換等の所定の処理を施す撮像素子回路基板の一例である。
【００１８】
カメラモニタ１２０は、表示用画像データが示す画像等を、表示する。表示用画像データは、カメラコントローラー１４０で作成される。表示用画像データは、画像処理された画像データや、カメラシステム１の撮影条件及び操作メニュー等を画像として表示するためのデータ等である。カメラモニタ１２０は、動画像も静止画像も選択的に表示可能である。カメラモニタ１２０は、液晶ディスプレイを有する。
【００１９】
カメラモニタ１２０は、カメラ本体１００に設けられている。本実施形態では、カメラモニタ１２０が、カメラ本体１００の背面に配置されているが、カメラ本体のどこに配置されていてもよい。カメラモニタ１２０は、カメラ本体１００に対する表示面の角度を、変更可能である。具体的には、カメラ本体１００は、カメラ本体１００とカメラモニタ１２０との間にヒンジ１２１を、有している。ヒンジ１２１は、カメラ本体１００の左端に配置されている。ヒンジ１２１は、具体的には第１のヒンジと第２のヒンジを有する。具体的には第１のヒンジを中心に、カメラモニタ１２０は左右方向に回転可能である。また、第２のヒンジを中心に、上下方向にも回転可能である。
【００２０】
なお、カメラモニタ１２０は、カメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
電子ビューファインダー（以下「ＥＶＦ」ともいう）１８０は、カメラコントローラー１４０で作成された表示用画像データに対応する画像等を、表示する。ＥＶＦ１８０は、動画像及び静止画像を選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタの表示を拡大するＥＶＦ用光学系１８２と、使用者が目を近づける接眼窓１８３とを、有する。
【００２１】
なお、ＥＶＦ１８０もまた、表示部の一例である。ＥＶＦ１８０が、カメラモニタ１２０と異なる点は、使用者が目を近づけて見るためのものであることである。構造上の相違点は、ＥＶＦ１８０が接眼窓１８３を有するのに対して、カメラモニタ１２０は接眼窓１８３を有しない点である。
また、ＥＶＦ用液晶モニタ１８１では、透過型液晶の場合にはバックライト（不図示）が設けられ、反射型液晶の場合にはフロントライト（不図示）が設けられる。これにより、ＥＶＦ用液晶モニタ１８１の表示輝度が、確保される。ＥＶＦ用液晶モニタ１８１は、ＥＶＦ用モニタの一例である。ＥＶＦ用モニタには、有機ＥＬ、無機ＥＬ、プラズマディスプレイパネル等が用いられる。ここで、有機ＥＬのような自発光デバイスが用いられた場合は、照明光源は不用である。
【００２２】
第１操作部１３０は、使用者による操作を受け付ける。第１操作部１３０は、使用者により操作される。第１操作部１３０は、レリーズ釦１３１を含む。レリーズ釦１３１は使用者によるシャッター操作を受け付ける。第１操作部１３０は、電源スイッチ１３２を含む。電源スイッチ１３２は、カメラ本体１００の上面に設けられた回転式のダイアルスイッチである。第１の回転位置で電源がＯＦＦとなり、第２の回転位置で電源がＯＮとなる。
【００２３】
第１操作部１３０は、操作部材１３３（カメラ本体操作部の一例）を含む。例えば、図１及び図２に示すように、カメラ本体１００をカメラモニタ１２０側から見た場合に、操作部材１３３は、カメラ本体１００の上面右側に配置されている。言い換えると、カメラ本体１００を被写体側から見た場合に、操作部材１３３は、カメラ本体１００の上面左側に配置されている。なお、図４に示すように、カメラ本体１００をカメラモニタ１２０側から見た場合に、操作部材１３３を、カメラ本体１００の背面右側に配置されているようにしてもよい。
【００２４】
また、操作部材１３３は、カメラ本体１００の上面でレリーズ釦１３１の周りに設けられた回転式のレバースイッチである。第１操作部１３０は、非操作時は中立位置に保持するよう付勢されている。第１操作部１３０は、使用者の回転操作により、レリーズ釦を略中心として、左右に回転操作される。第１操作部１３０は、使用者による操作を受け付けることができればよく、ボタン、レバー、ダイアル、タッチパネル等であってもよい。
【００２５】
カメラコントローラー１４０は、ＣＭＯＳイメージセンサー１１０等の各部を含むカメラ本体１００全体を、制御する。カメラコントローラー１４０は、電源１６０からの電力の供給が停止した状態で、シャッターユニット１９０が開口状態を保持するように、シャッターユニット１９０を制御する。また、カメラコントローラー１４０は、第１操作部１３０からの指示を受け付ける。カメラコントローラー１４０は、レンズユニット２００を制御するための信号を、ボディマウント４１及びレンズマウント７１を介して、レンズコントローラー２４０に送信する。また、カメラコントローラー１４０は、レンズユニット２００の各部を、間接的に制御する。すなわち、カメラコントローラー１４０は、カメラシステム１全体を制御する。
【００２６】
また、カメラコントローラー１４０は、ボディマウント４１及びレンズマウント７１を介して、レンズコントローラー２４０から各種信号を受信する。カメラコントローラー１４０は、制御動作や画像処理動作を実行する場合に、ＤＲＡＭ１４１をワークメモリとして使用する。なお、カメラコントローラー１４０は、ボディ制御部の一例である。カメラコントローラー１４０は、メイン回路基板１４２上に配置されている。
【００２７】
カードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００２８】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、内部に格納する画像データ又は画像ファイルを出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルを伸張などして表示用画像データを生成する。
【００２９】
さらに、メモリーカード１７１は、カメラコントローラー１４０が画像処理により生成した動画データを、格納可能である。例えば、メモリーカード１７１は、動画圧縮規格であるＨ．２６４／ＡＶＣに従って圧縮された動画ファイルを、格納できる。また、メモリーカード１７１は、内部に格納する動画データ又は動画ファイルを出力できる。メモリーカード１７１から出力された動画データ又は動画ファイルは、カメラコントローラー１４０で画像処理される。例えば、カメラコントローラー１４０は、メモリーカード１７１から取得した動画データ又は動画ファイルを伸張して表示用動画データを、生成する。
【００３０】
なお、メモリーカード１７１は、記憶部の一例である。記憶部は、メモリーカード１７１のようにカメラ本体１００に着脱可能なものでもよく、カメラ本体１００に固定されているものでもよい。
電源１６０は、カメラシステム１で使用するための電力の供給元である。電源１６０は、例えば、乾電池であってもよいし、充電池であってもよい。また、電源１６０は、電源コード等により外部から供給される電力を、カメラシステム１に供給するものであってもよい。
【００３１】
ボディマウント４１は、着脱可能なレンズユニット２００を保持する。ボディマウント４１は、レンズユニット２００のレンズマウント７１と機械的及び電気的に接続可能である。ボディマウント４１とレンズマウント７１とを介して、カメラ本体１００とレンズユニット２００との間では、データおよび／または制御信号が、送受信可能である。具体的には、ボディマウント４１とレンズマウント７１とは、カメラコントローラー１４０とレンズコントローラー２４０との間で、データおよび／または制御信号が送受信される。ボディマウント４１は、電源１６０から受けた電力を、レンズマウント７１を介して、レンズユニット２００全体に供給する。
【００３２】
具体的には、ボディマウント４１は、ボディマウント接点保持部１５２を含む。ボディマウント４１は、レンズユニット２００のレンズマウント７１との光軸まわりの回転位置関係に応じて、レンズマウント７１と嵌合している状態、またはレンズマウント７１と嵌合していない状態となる。すなわち、ボディマウント４１とレンズマウント７１との回転位置関係が第１の状態である場合には、レンズマウント７１はボディマウント４１に嵌合しておらず、レンズマウント７１はボディマウント４１に対して光軸方向に移動可能である。
【００３３】
また、第１の状態でレンズマウント７１をボディマウント４１に挿入し、レンズマウント７１をボディマウント４１に対して回転させると、レンズマウント７１はボディマウント４１に嵌合される。このときのボディマウント４１とレンズマウント７１との回転位置関係が、第２の状態である。回転位置関係が第２の状態である場合には、ボディマウント４１は、レンズユニット２００を機械的に保持する。そのため、ボディマウント４１には、強度が要求される。ボディマウント４１は、金属で形成されているのが好ましい。
【００３４】
ボディマウント接点保持部１５２は、複数の電気接点１５３を有する。電気接点１５３は、レンズマウント７１が有する電気接点２５３それぞれと、電気的に接続している。そして、ボディマウント４１の電気接点１５３とレンズマウント７１の電気接点２５３とにより、ボディマウント４１とレンズマウント７１とは、電気的に接続可能である。また、ボディマウント４１の電気接点１５３とレンズマウント７１の電気接点２５３とにより、電力、データおよび／または制御信号が送受信される。ボディマウント接点保持部１５２は、ボディマウント４１とシャッターユニット１９０との間に配置されている。ボディマウント接点保持部１５２は、開口部を有する。
【００３５】
シャッターユニット１９０は、例えばフォーカルプレーンシャッターである。シャッターユニット１９０は、ボディマウント４１とＣＭＯＳイメージセンサー１１０との間に配置される。シャッターユニット１９０は、開口状態を機械的に保持することができる。そして、シャッターユニット１９０は、カメラ本体１００の電源が停止した状態で、機械的に開口状態が保持されるように、カメラコントローラー１４０により制御される。ここで、機械的に保持するとは、電気の力を使わずに開口状態を保持するという概念である。例えば、物と物とを係合するものや、永久磁石によって保持するものである。
【００３６】
光学フィルタ１１４は、被写体光の高周波成分を取り除く光学的ローパスフィルタの機能を、有する。具体的には、光学フィルタ１１４は、レンズユニット２００により結像する被写体像を、ＣＭＯＳイメージセンサー１１０の画素のピッチよりも荒い解像となるように、分離する。一般的に、ＣＭＯＳイメージセンサー等の撮像素子には、各画素にベイヤー配列と呼ばれるＲＧＢ色のカラーフィルターや、ＹＣＭ色の補色カラーフィルターが、配されている。従って、１画素に解像してしまうと、偽色が発生するばかりでなく、繰り返しパターンの被写体では醜いモアレ現象が発生する。さらに、光学フィルタ１１４は、波長が約６５０ｎｍ以上の近赤外光をカットするためのＩｒカットフィルタの機能も、併せ持つ。
【００３７】
振動板１１５は、ＣＭＯＳイメージセンサー１１０よりも前に配置され、ＣＭＯＳイメージセンサー１１０への埃の付着を防ぐ。また、振動板１１５は、振動板１１５自身に付着した埃を、振動により振り落とす。具体的には、振動板１１５では、透明の薄い板状部材が圧電素子を介して他の部材に固定されている。そして、圧電素子に交流電圧を印加して圧電素子を振動させ、板状部材を振動させる。
【００３８】
（１−３：レンズユニットの構成）
レンズユニット２００は、光学系と、レンズコントローラー２４０と、レンズマウント７１と、絞りユニット２６０と、レンズ筒２９０と、第２操作部２１３（レンズユニット操作部の一例）とを、備える。レンズユニット２００の光学系は、ズームレンズ２１０、ＯＩＳレンズ２２０、およびフォーカスレンズ２３０を、含む。光学系は、レンズ筒２９０の内部に収容されている。
【００３９】
ズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚又は複数枚のレンズで構成される。ズームレンズ２１０は、光学系の第１レンズ群Ｌ１と、第２レンズ群Ｌ２とを、含む。ズームレンズ２１０は、光学系の光軸ＡＸと平行な方向に移動することにより、焦点距離を変化させる。ズームレンズ２１０の外周には、ズーム駆動環２１４が設けられている。ズーム駆動環２１４の内面には、カム溝が形成されている。カム溝は、第１ズームレンズＬ１及び第２ズームレンズＬ２それぞれに設けた不図示のカムフォロアと係合する。これにより、ズーム駆動環２１４が回転駆動すると、前述の焦点距離が変する。ズーム駆動環２１４は、焦点距離を駆動するズーム駆動部の一例であり、駆動後の位置に応じて焦点距離を決定する。
【００４０】
ズームモータ２１１は、ズーム駆動環２１４に連結されている。ズームモータ２１１の回転力をズームレンズ２１０に伝えることによって、ズームレンズ２１０が、光学系の光軸ＡＸ方向に沿って移動する。一例として、ズーム駆動環２１４は、カム機構を有している。このカム機構を介して、ズーム駆動環２１４の回転動作が、ズームレンズ２１０の直進動作に変換される。ズームモータ２１１とズーム駆動環２１４による構成は、ズームレンズ駆動手段の一例である。ズームモータ２１１は、ＤＣモータ、ステッピングモータ、超音波モータなど回転駆動力を発生するものを全て含むものである。
【００４１】
相対位置検出器２１２及び原点位置検出器２１５は、ズームレンズ２１０の駆動状態を示す信号を生成するエンコーダである。相対位置検出器２１２は、ズームモータ２１１の回転量を検出するため回転スリット板及びフォトインタラプタである。
原点位置検出器２１５は、ズーム駆動環２１４の原点位置を検出する原点検出器である。原点位置検出器２１５は、例えばフォトセンサである。レンズコントローラー２４０は、原点位置検出器２１５からの信号により、ズーム駆動環２１４が原点にあることを、認識する。このとき、レンズコントローラー２４０は、内部に設けたカウンタ２４３の値をセットする。このカウンタ２４３は、相対位置検出器２１２から出力されるフォトインタラプタ信号の極値を、カウントする。そして、ズームレンズ２１０が光軸ＡＸと平行な第１の方向に移動したときに、フォトインタラプタ信号の極値が検出されると、カウントを「＋１」する。また、ズームレンズ２１０を光軸ＡＸと平行な第１の方向と反対の第２の方向に移動するときに、フォトインタラプタ信号の極値が検出されると、カウントを「−１」する。
【００４２】
このようにして、レンズコントローラー２４０は、絶対位置である原点位置からの相対位置を、検出する。これにより、レンズコントローラー２４０は、ズーム駆動環２１４の原点位置からの回転量を介して、ズームレンズ２１０の光軸ＡＸ方向の位置を、把握可能である。
相対位置検出器２１２及び絶対位置検出器２１５は、ズームレンズ位置検出手段の一例である。ズームレンズ位置検出手段は、ズームレンズの位置を直接検出するものでもよく、ズームレンズに連動する機構部材の位置を検出するものでもよい。
【００４３】
例えば、ズームモータ２１１は、スクリューおよびナット機構などで、回転力をズームレンズ２１０に伝え、第１ズームレンズＬ１を光軸ＡＸ方向の位置に移動する。さらに、第２ズームレンズＬ２用のズームモータを配置して、同様にスクリューおよびナット機構などで、第２ズームレンズＬ２を光軸ＡＸ方向の位置に移動するようにしてもよい。
ＯＩＳレンズ２２０は、レンズユニット２００の光学系で形成される被写体像のぶれを補正するためのレンズである。具体的には、ＯＩＳレンズ２２０は、カメラシステム１のぶれによって生じる被写体像のぶれを、補正する。ＯＩＳレンズ２２０は、カメラシステム１のぶれを相殺する方向に移動する。これにより、ＯＩＳレンズ２２０は、ＣＭＯＳイメージセンサー１１０と被写体像との相対的なぶれを、小さくする。具体的には、ＯＩＳレンズ２２０は、カメラシステム１のぶれを相殺する方向に移動することにより、ＣＭＯＳイメージセンサー１１０上の被写体像のぶれを小さくする。ＯＩＳレンズ２２０は、１枚又は複数枚のレンズで構成される。アクチュエータ２２１は、ＯＩＳ用ＩＣ２２３からの制御を受けて、光学系の光軸ＡＸに垂直な面内でＯＩＳレンズ２２０を駆動する。
【００４４】
アクチュエータ２２１は、例えば、マグネットと平板コイルとで実現可能である。位置検出センサー２２２は、光学系の光軸ＡＸに垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果及びジャイロセンサーなどのぶれ検出器の検出結果に基づいて、アクチュエータ２２１を制御する。ＯＩＳ用ＩＣ２２３は、レンズコントローラー２４０から、ぶれ検出器の検出結果を得る。また、ＯＩＳ用ＩＣ２２３は、レンズコントローラー２４０に対して、光学的像ぶれ補正処理の状態を示す信号を、送信する。
【００４５】
なお、ＯＩＳレンズ２２０は、ぶれ補正部の一例である。カメラシステム１のぶれによって生じる被写体像のぶれを、補正する手段として、ＣＣＤからの画像データに基づいて画像データを補正する電子式ぶれ補正を、適用してもよい。また、カメラシステム１のぶれによって生じるＣＭＯＳイメージセンサー１１０と、被写体像との相対的なぶれを小さくする手段として、ＣＭＯＳイメージセンサー１１０を、光学系の光軸ＡＸと平行な垂直な面内で駆動する構成としてもよい。
【００４６】
フォーカスレンズ２３０は、光学系がＣＭＯＳイメージセンサー１１０上に形成する被写体像のフォーカス状態を、変化させるためのレンズである。フォーカスレンズ２３０は、１枚又は複数枚のレンズで構成される。ズームレンズ２１０は、光学系の光軸ＡＸと平行な方向に移動することにより、被写体像のフォーカス状態を変化させる。
フォーカスモータ２３３は、レンズコントローラー２４０の制御に基づいて、フォーカスレンズ２３０を光学系の光軸ＡＸに沿って進退駆動する。これにより、フォーカスモータ２３３は、光学系によりＣＭＯＳイメージセンサー１１０上に形成される被写体像のフォーカス状態を、変化させる。フォーカスモータ２３３は、ズームレンズ２１０の駆動から独立して、フォーカスレンズ２３０を駆動することができる。具体的には、フォーカスモータ２３３は、第２レンズ群Ｌ２を基準に、フォーカスレンズ２３０を光軸ＡＸ方向に駆動する。言い換えると、フォーカスモータ２３３は、第２レンズ群Ｌ２とフォーカスレンズ２３０との間の光軸ＡＸ方向の相対距離を、変更可能である。フォーカスレンズ２３０とフォーカスモータ２３３とは、第２レンズ群Ｌ２とともに、光軸ＡＸ方向に移動する。従って、ズーム動作により第２レンズ群Ｌ２が光軸ＡＸ方向に移動すると、フォーカスレンズ２３０およびフォーカスモータ２３３も、光軸ＡＸ方向に移動する。また、第２レンズ群Ｌ２が光軸ＡＸ方向に静止している状態でも、フォーカスモータ２３３は、第２レンズ群Ｌ２を基準に、フォーカスレンズ２３０を光軸ＡＸ方向に駆動することができる。フォーカスモータ２３３は、ＤＣモータやステッピングモータ、サーボモータ、超音波モータなどによって実現できる。フォーカスモータ２３３は、フォーカスレンズ駆動手段の一例である。
【００４７】
相対位置検出器２３１及び原点位置検出器２３２は、フォーカスレンズ２３０の駆動状態を示す信号を生成するエンコーダである。相対位置検出器２３１は、磁気スケールと磁気センサーとを有し、磁気の変化を検出し、磁気の変化に応じた信号を出力する。磁気センサーは、例えばＭＲセンサーである。
原点位置検出器２３２は、第２レンズ群Ｌ２に対するフォーカスレンズ２３０の原点位置を検出する原点検出器である。原点位置検出器２３２は、例えばフォトセンサである。レンズコントローラー２４０は、原点位置検出器２３２からの信号により、フォーカスレンズ２３０が原点にあることを認識する。このとき、レンズコントローラー２４０は、内部に設けたカウンタ２４３の値をセットする。このカウンタ２４３は、相対位置検出器２３１から出力される信号により磁気変化の極値を、カウントする。そして、フォーカスレンズ２３０が光軸ＡＸと平行な第１の方向に移動するときに、磁気変化の極値が検出されると、カウントを「＋１」する。また、フォーカスレンズ２３０が光軸ＡＸと平行な第１の方向と反対の第２の方向に移動するときに、磁気変化の極値が検出されると、カウントを「−１」する。このようにして、レンズコントローラー２４０は、絶対位置である原点位置からの相対位置を検出することにより、第２レンズ群Ｌ２に対するフォーカスレンズ２３０の光軸ＡＸ方向の位置を、把握する。
【００４８】
また、上述のとおり、レンズコントローラー２４０は、レンズユニット２００内における第２レンズ群Ｌ２の光軸ＡＸ方向の位置を、把握可能である。従って、レンズコントローラー２４０は、レンズユニット２００内におけるフォーカスレンズ２３０の光軸ＡＸ方向の位置を、把握可能である。
相対位置検出器２３１及び絶対位置検出器２３２は、フォーカスレンズ位置検出手段の一例である。フォーカスレンズ位置検出手段は、フォーカスレンズの位置を直接検出するものでもよく、フォーカスレンズに連動する機構部材の位置を検出するものでもよい。
【００４９】
絞りユニット２６０は、光学系を透過する光の量を調整する光量調整部材である。絞りユニット２６０は、光学系を透過する光の光線の一部を遮蔽可能な絞り羽根と、絞り羽根を駆動しその遮蔽量を変更して光量を調整する絞り駆動部とを、有する。カメラコントローラー１４０は、ＣＭＯＳイメージセンサー１１０が受けた光の量、撮影状態（静止画撮影又は動画撮影）、絞り値の設定状態（ex. 絞り値の優先設定）等に基づいて、絞りユニット２６０に動作を指示する。
【００５０】
レンズコントローラー２４０は、カメラコントローラー１４０からの制御信号に基づいて、ＯＩＳ用ＩＣ２２３やフォーカスモータ２３３などのレンズユニット２００全体を、制御する。また、レンズコントローラー２４０は、検出器２１２、ＯＩＳ用ＩＣ２２３、相対位置検出器２３１、原点位置検出器２３２などから信号を受信して、カメラコントローラー１４０に送信する。レンズコントローラー２４０は、カメラコントローラー１４０との送受信を、レンズマウント７１及びボディマウント４１を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。
【００５１】
具体的には、フラッシュメモリ２４２には、レンズユニット２００に関する各種情報（レンズ情報）が格納されている。このレンズ情報には、例えば、レンズユニット２００を特定するための型式に関する情報（レンズ特定情報）が、含まれている。レンズ特定情報には、レンズユニット２００のメーカー名、製造年月日、型番、ＩＤ、レンズコントローラー２４０にインストールされているソフトのバージョン、およびファームアップに関する情報などが、含まれている。
【００５２】
また、レンズ情報には、レンズユニット２００がＯＩＳレンズ２２０等の像ぶれを補正するための手段を搭載しているか否かに関する情報、像ぶれを補正するための手段を搭載している場合は、その型番および感度などの検出性能に関する情報、最大補正可能角度などの補正性能に関する情報（レンズ側補正性能情報）、像ぶれ補正を行うためのソフトのバージョンなどが、含まれている。
【００５３】
さらに、レンズ情報には、ぶれ補正部の駆動に必要な消費電力に関する情報（レンズ側消費電力情報）、およびぶれ補正部の駆動方式に関する情報（レンズ側駆動方式情報）が、含まれている。
尚、フラッシュメモリ２４２は、カメラコントローラー１４０から送信された情報を格納可能である。
【００５４】
レンズマウント７１は、電気接点２５３を有する。ボディマウント４１の電気接点１５３と、レンズマウント７１の電気接点２５３とにより、ボディマウント４１とレンズマウント７１とは、電気的に接続可能である。また、ボディマウント４１の電気接点１５３と、レンズマウント７１の電気接点２５３とにより、電力、データおよび／または制御信号が送受信される。
【００５５】
第２操作部すなわち操作部材２１３は、図１に示すように、レンズユニット２００に設けられている。具体的には、レンズユニット２００を被写体側から見た場合に、操作部材２１３の少なくとも一部が、レンズユニット２００の外周部において、右側側面に設けられている。より具体的には、レンズユニット２００を被写体側から見た場合に、操作部材２１３が、レンズユニット２００の外周部において、右側側面に設けられている。また、操作部材２１３は、レンズユニット２００の外周部においてスライド可能な、スライドタイプの操作部材である。
【００５６】
（２：ズーム操作）
（２．１：カメラ本体への交換レンズの着脱）
カメラ本体１００のボディマウント４１には、レンズロックピン４１ｂが突出/押込可能に設けられている。レンズユニット２００がボディマウント４１に装着されている状態のときには、レンズロックピン４１ｂは、レンズマウント７１のロックピン嵌合穴７１ｂに嵌合される。更に、レンズロックピン４１ｂは、突出状態を保持するために、レンズロックピン付勢バネ（不図示）によって、突出方向に付勢されている。
【００５７】
レンズ着脱操作部材４１ｃは、突出/押込可能に設けられている。レンズ着脱操作部材４１ｃは、レンズロックピン４１ｂに機械的に連結されている。レンズユニット２００を外す場合、ユーザーは、レンズ着脱操作部材４１ｃを、カメラ本体１００の内部に押し込む。すると、レンズ着脱操作部材４１ｃが、不図示のレンズ着脱操作部材付勢バネの付勢力に抗して押し込まれるとともに、レンズロックピン４１ｂも押し込まれる。その結果、レンズロックピン４１ｂとレンズマウント７１のロックピン嵌合穴７１ｂの係合が解除され、レンズユニット２００がカメラ本体１００に対して回転可能となる。そして、ユーザーは、ボディマウント４１とレンズマウント７１との回転位置関係が第１の状態となった位置で、レンズユニット２００をカメラ本体１００から外すことができる。また、ボディマウント４１とレンズマウント７１との回転位置関係が、第１の状態となった位置では、レンズロックピン４１ｂは突出状態に復帰する。
【００５８】
レンズ着脱操作検知スイッチ４１ｅは、レンズ着脱操作部材４１ｃが操作されたこと、および、レンズロックピン４１ｂが押し込まれたことを、検知可能である。具体的には、レンズ着脱操作部材４１ｃが押し込まれた場合、または、レンズロックピン４１ｂが押し込まれた場合、レンズ着脱操作検知スイッチ４１ｅが操作される。レンズユニット２００がカメラ本体１００から外されると、レンズロックピン４１ｂは突出状態に復帰し、レンズ着脱操作検知スイッチ４１ｅの操作が解かれる。
【００５９】
レンズユニット２００を装着する場合、ユーザーは、ボディマウント４１とレンズマウント７１との回転位置関係が、第１の状態となった位置から第２の状態となった位置まで、レンズユニット２００を回転する。レンズロックピン４１ｂは、第１の状態で突出状態であるが、第１の状態から第２の状態へとレンズユニット２００が回転する動作によって、レンズマウント７１に当接して押し込まれた状態となる。そして、レンズロックピン４１ｂは、第２の状態になると、レンズマウント７１のロックピン嵌合穴７１ｂに嵌合し、突出状態となる。レンズユニット２００を装着する場合、このレンズロックピン４１ｂの動作に連動して、レンズ着脱操作検知スイッチ４１ｅが操作される。
【００６０】
以上のようにして、レンズ着脱操作検知スイッチ４１ｅは、レンズユニット２００の着脱操作を行ったことを検知できる。
（２．２：カメラ本体のレンズユニットの認識とズーム操作）
レンズ着脱操作検知スイッチ４１ｅが操作され、レンズの着脱を検知すると、カメラコントローラー１４０はレンズコントローラー２４０との間で、データおよび／または制御信号の送受信を開始する。このとき、装着されたレンズユニット２００を特定するための型式に関する情報（レンズ特定情報）に基づいて、電動ズームに対応しているか否かを、カメラコントローラー１４０が識別する。
【００６１】
レンズユニット２００が電動ズームに対応している場合、カメラコントローラー１４０は、カメラ本体１００の操作部材１３３による、ズーム操作を許可する。さらに、カメラコントローラー１４０は、レンズコントローラー２４０に対して、レンズユニット２００の操作部材２１３によるマニュアルフォーカス操作を許可するように、指示を出す。
ここでは、レンズユニット２００が電動ズーム対応の場合、カメラ本体１００でズーム操作を行い、レンズユニット２００でマニュアルフォーカス操作をする場合の例を示したが、使用者の意思で、その選択を変更できるようにしても良い。例えば、カメラ本体１００でマニュアルフォーカス操作を行い、レンズユニット２００でズーム操作を行うなど、全ての組合せを選択可能である。
【００６２】
この状態において、カメラ本体１００の操作部材１３３が操作されると、この操作に対応する操作信号が、カメラコントローラー１４０に認識される。すると、この操作信号に基づいて、カメラコントローラー１４０は、レンズコントローラー２４０に対して、ズーム動作の実行命令を、発行する。そして、このズーム動作の実行命令をレンズコントローラー２４０が受け取ると、レンズコントローラー２４０は、レンズユニット２００のズーム動作を、制御する。これにより、上述したように、ズームレンズ２１０が駆動され、被写体像の倍率（光学系の焦点距離）が変化する。
【００６３】
一方で、レンズユニット２００の操作部材２１３が操作されると、この操作に対応する操作信号が、レンズコントローラー２４０に認識される。すると、この操作信号に基づいて、レンズコントローラー２４０は、レンズユニット２００のフォーカス動作を、制御する。これにより、上述したように、フォーカスレンズ２３０が駆動され、被写体像のフォーカス状態が変化する。
【００６４】
このように、カメラ本体１００の操作部材１３３が操作された場合には、レンズユニット２００においてズーム動作が実行され、レンズユニット２００の操作部材２１３が操作された場合には、レンズユニット２００においてフォーカス動作が実行される。
なお、ここでは、カメラ本体１００の操作部材１３３が操作された場合は、カメラコントローラー１４０及びレンズコントローラー２４０が、レンズユニット２００の制御に関与する。また、レンズユニット２００の操作部材２１３が操作された場合は、レンズコントローラー２４０だけが、レンズユニット２００の制御に関与する。
【００６５】
一方で、レンズユニット２００が電動ズームに対応していない場合、例えばレンズユニット２００がマニュアルズームレンズから構成されている場合、カメラコントローラー１４０は、カメラ本体１００の操作部材１３３によるズーム操作を禁止する。すなわち、カメラ本体１００の操作部材１３３が操作されたとしても、カメラコントローラー１４０からレンズコントローラー２４０に、ズーム動作を指示する命令が発行されない。そして、この場合、カメラコントローラー１４０は、ズーム操作以外の機能を、カメラ本体１００の操作部材１３３に割り当てる。すなわち、カメラコントローラー１４０は、カメラ本体１００の制御及びレンズユニット２００の制御の少なくともいずれか一方の制御を、実行可能な機能を、カメラ本体１００の操作部材１３３に割り当てる。
【００６６】
ここで、操作部材１３３に割り当てられた機能が、カメラ本体１００に対するものである場合、カメラ本体１００の操作部材１３３が操作されると、上述したように、カメラコントローラー１４０が制御に関与し、カメラ本体１００の機能が実行される。一方で、操作部材１３３に割り当てられた機能が、レンズユニット２００に対するものである場合、上述したように、カメラコントローラー１４０及びレンズコントローラー２４０が制御に関与し、レンズユニット２００の機能が実行される。
【００６７】
（２．３：カメラ本体に操作部材１３３が無い場合）
ボディマウント４１がレンズマウント７１と互換性があり、カメラ本体１００に操作部材１３３が搭載されていない場合に、カメラ本体１００に装着された電動ズーム対応のレンズユニット２００におけるズーム操作について説明する。
上記のようなカメラ本体１００は、例えば、電動ズーム対応のレンズユニットが発売される前のカメラ本体１００であることが考えられる。この場合、カメラ本体１００には、ズーム操作を行うためのコマンドが、搭載されていない。すなわち、カメラコントローラー１４０は、レンズコントローラー２４０に対して、ズーム動作を実行させる指令を、出すことができない。従って、ズーム動作は、レンズユニット２００の操作部材２１３によって実行される。この場合、マニュアルフォーカス操作は実行できない。
【００６８】
一方、上記のカメラ本体であっても、カメラコントローラー１４０の制御ファームウエアをアップデートすることで、図１及び図２に示すようなカメラ本体１００に装備されている操作部材１３４に、ズーム機能を割り付けることが可能である。この場合、２．２同様に、カメラコントローラー１４０は、レンズコントローラー２４０に対して、レンズユニット２００の操作部材２１３によるマニュアルフォーカス操作を許可する指示を、出すことができる。すなわち、レンズユニット２００の操作部材２１３に、マニュアルフォーカス操作を割り当てることができる。この場合、カメラ本体１００の操作部材１３４が操作された場合には、レンズユニット２００においてズーム動作が実行され、レンズユニット２００の操作部材２１３が操作された場合には、レンズユニット２００においてフォーカス動作が実行される。
【００６９】
なお、使用者の意思でその選択を変更できるようにしても良い。例えば、カメラ本体１００で操作部材１３４に対してマニュアルフォーカス操作を割り付けて、レンズユニット２００でズーム操作を行うなど、全ての組合せを選択可能である。
＜実施形態の特徴＞
上記実施形態において特徴的な部分を以下に列記する。なお、上記実施形態に含まれる発明は以下に限定されるものではない。
（１）カメラ本体１００を備えたカメラシステムであって、カメラ本体１００は、レ        ンズユニット２００を着脱可能なマウントを、有している。レンズユニット２０        ０は、少なくとも１つの操作部によって電動で光学ズームが可能である。カメラ        本体の各種操作部材のうち、ズーム動作が割り付けられた操作部材１３３によっ        て光学ズームを操作することが可能である。したがって、撮影者は、レンズユニ        ット２００側の操作部材を操作することなく、コンパクトカメラのようにカメラ        本体１００側で光学ズーム操作を行うことができる。これにより、レンズ交換タ        イプのカメラを扱う初心者にも、非常に使い勝手の良いカメラシステムを、提供        することが可能となる。
（２）（１）に記載のカメラシステムでは、レンズユニット２００の操作部例えば操        作部材２１３によっても、光学ズーム操作が可能である。
（３）（１）に記載のカメラシステムでは、カメラ本体１００のズーム操作部例えば        操作部材１３３によって光学ズームが可能である場合、レンズユニット２００の        操作部例えば操作部材２１３によってマニュアルフォーカス駆動を可能にするこ        とで、一つしか操作部を持たないレンズユニット２００であっても、マニュアル        によるピント調節が可能となる。
（４）（１）から（３）に記載のカメラシステムでは、カメラ本体１００の操作部材        １３３にマニュアルフォーカス操作が割り付けられた場合、レンズユニット２０        ０の操作部材２１３で光学ズームを操作可能できるようにしている。これによっ        て、撮影者は、自分の使い勝手が良くなるように、自由に操作対象を変更するこ        とが可能である。
（５）カメラ本体を備えたカメラシステムであって、カメラ本体１００は、少なくと        も1つの操作部を有する電動光学ズームレンズユニットを着脱可能なマウントを        、有している。カメラ本体１００では、カメラ本体１００の各種操作部材のうち        の一つによって、レンズユニット２００のマニュアルフォーカス駆動が操作され        た場合に、レンズユニット２００の操作部材２１３によって、電動による光学ズ        ームを操作することが可能である。このように、カメラ本体１００の操作部材１        ３３での操作対象を任意に決定することによって、レンズユニット２００の操作        部材２１３による操作対象を、一義的に決定することができる。
（６）（１）から（５）に記載のカメラシステムであって、電動によるズーム操作が        できないレンズユニット２００を装着されたとき、カメラ本体１００のズーム操        作として割り付けられていた操作部に、カメラ機能を制御する機能を、割り付け        ることが可能となる。したがって、カメラ本体１００にある操作部は、電動ズー        ム以外のレンズユニットが装着された場合においても、有意義に利用することが        可能である。
（７）（１）から（６）に記載の、カメラ本体１００に設けたズーム操作部材１３３        は、レリーズボタン周りの回転操作可能に配置し、撮影者の人差し指での操作を        可能としている。したがって、レンズ交換タイプのカメラを扱う初心者であって        も、コンパクトカメラのようにカメラ本体１００側で光学ズーム操作を行うこと        ができる。このため、非常に使い勝手の良いカメラシステムを、提供することが        可能となる。
（８）（１）から（６）に記載の、カメラ本体１００に設けたズーム操作部材１３３        は、カメラ本体１００の背面であって、撮影者の親指が可能な位置に配置されて        いる。
（９）（１）から（８）に記載のカメラシステムであって、カメラ本体１００のズー        ム操作として割り付けられていた操作部は、撮影画像の再生時に、再生画像の拡        大縮小操作を可能としても良い。
（１０）（１）から（８）に記載のカメラシステムであって、カメラ本体１００のズ        ーム操作として割り付けられていた操作部は、露出補正操作を可能としても良い        。
（１１）（１）から（８）に記載のカメラシステムであって、カメラ本体１００のズ        ーム操作として割り付けられていた操作部は、絞り操作を可能としても良い。
（１２）（１）から（８）に記載のカメラシステムであって、カメラ本体１００のズ        ーム操作として割り付けられていた操作部は、ＩＳＯ感度変更操作を可能として        も良い。
（１３）（１）から（８）に記載のカメラシステムであって、カメラ本体１００のズ        ーム操作として割り付けられていた操作部は、ホワイトバランス変更操作を可能        としても良い。
（１４）（１）から（８）に記載のカメラシステムであって、カメラ本体１００のズ        ーム操作として割り付けられていた操作部は、シャッタースピード操作を可能と        しても良い。
（１５）（１）から（８）に記載のカメラシステムであって、カメラ本体１００のズ        ーム操作として割り付けられていた操作部は、画像解像度変更操作を可能として        も良い。
（１６）（１）から（８）に記載のカメラシステムであって、カメラ本体１００のズ        ーム操作として割り付けられていた操作部は、画素数変更操作を可能としても良        い。
（１７）（１）から（８）に記載のカメラシステムであって、カメラ本体１００のズ        ーム操作として割り付けられていた操作部は、暗部補正レベル変更操作を可能と        しても良い。
（１８）（１）から（８）に記載のカメラシステムであって、カメラ本体１００のズ        ーム操作として割り付けられていた操作部は、ドライブモード（単写、連写、セ        ルフタイマーなど）変更操作を可能としても良い。
（１９）（１）から（８）に記載のカメラシステムであって、カメラ本体１００のズ        ーム操作として割り付けられていた操作部は、ＡＦターゲット変更操作を可能と        しても良い。
（２０）（１）から（８）に記載のカメラシステムであって、カメラ本体１００のズ        ーム操作として割り付けられていた操作部は、ＡＦモード変更操作を可能として        も良い。
（２１）（１）から（８）に記載のカメラシステムであって、カメラ本体１００のズ        ーム操作として割り付けられていた操作部は、ＡＥモード変更操作を可能として        も良い。
（２２）（１）から（８）に記載のカメラシステムであって、カメラ本体１００のズ        ーム操作として割り付けられていた操作部は、ＡＦドライブモード（ＡＦＳ，Ａ        ＦＣなど）変更操作を可能としても良い。
（２３）（１）から（８）に記載のカメラシステムであって、カメラ本体１００のズ        ーム操作として割り付けられていた操作部は、再生画像の送り戻し操作を可能と        しても良い。
（２４）（１）から（８）に記載のカメラシステムであって、カメラ本体１００のズ        ーム操作として割り付けられていた操作部は、シーンセレクトモードのシーン選        択操作を可能としても良い。
（２５）（１）から（８）に記載のカメラシステムであって、カメラ本体１００のズ        ーム操作として割り付けられていた操作部は、光学ズーム端から電子ズームを連        続的に操作可能としても良い。
（２６）（１）から（８）に記載のカメラシステムであって、カメラ本体１００のズ        ーム操作として割り付けられていた操作部は、フィルムモードなど絵作り各種フ        ィルタ変更操作を可能としても良い。
【００７０】
＜他の実施形態＞
（Ａ）前記実施形態では、レンズユニット２００が複数の操作部材２１３を有していても、各操作部材２１３に割り当てられる機能については、特に言及はしてはいなかった。ここでは、この事項について説明しておく。例えば、レンズユニット２００が２つ操作部材２１３を有する場合、２つの操作部材２１３のいずれか一方は、ズーム操作部として機能させ、２つの操作部材２１３のいずれか他方は、フォーカス操作部として機能させるようにしてもよい。また、レンズユニット２００が３つ以上の操作部材２１３を有する場合、操作部材２１３それぞれを、ズーム操作部、フォーカス操作部、手ぶれ補正操作部、絞り操作部等に対応させてもよい。
（Ｂ）前記実施形態では、レンズユニット２００の外周部において、２つの操作部材２１３が円周方向に並べて配置される場合の例が、示された。これに代えて、レンズユニット２００の外周部において、２つの操作部材２１３が光軸方向に並べて配置されるようにしてもよい。
【産業上の利用可能性】
【００７１】
本発明は、カメラシステム、カメラ本体、およびレンズユニットに広く適用できる。具体的には、デジタルスチルカメラやムービーなどに適用可能である。
【符号の説明】
【００７２】
１  カメラシステム
１００  カメラ本体
４１  ボディマウント
４１ｂ  レンズロックピン
４１ｃ  レンズ着脱操作部材
４１ｅ  レンズ着脱操作検知スイッチ
７１  レンズマウント
７１ｂ  ロックピン嵌合穴
１１０  ＣＭＯＳイメージセンサー
１１１  ＡＤコンバーター
１１２  タイミング発生器
１１３  ＣＭＯＳ回路基板
１１４  光学フィルタ
１１５  振動板
１２０  カメラモニタ
１２１  ヒンジ
１３０  操作部
１３１  レリーズ釦
１３２  電源スイッチ
１３３  操作部材
１３４  操作部材
１４０  カメラコントローラー
１４１、２４１  ＤＲＡＭ
１４２  メイン回路基板
１５２  ボディマウント接点保持部
１５３、２５３  電気接点
１６０  電源
１７０  カードスロット
１７１  メモリーカード
１８０  電子ビューファインダー（ＥＶＦ）
１８１  ＥＶＦ用液晶モニタ
１８２  ＥＶＦ用光学系
１８３  接眼窓
１９０  シャッターユニット
２００  レンズユニット
２１０  ズームレンズ
２１１  ズームモータ
２１２  相対位置検出器
２１３  操作部材
２１４  ズーム駆動環
２１５  原点位置検出器
２２０  ＯＩＳレンズ
２２１  アクチュエータ
２２２  位置検出センサー
２２３  ＯＩＳ用ＩＣ
２３０  フォーカスレンズ
２３１  相対位置検出器
２３２  原点位置検出器
２３３  フォーカスモータ
２４０  レンズコントローラー
２４２  フラッシュメモリ
２９０  レンズ筒
【図１】
0005906435.tif 000002
【図２】
0005906435.tif 000003
【図３】
0005906435.tif 000004
【図４】
0005906435.tif 000005